(57)【要約】      （修正有）【課題】電力伝導干渉を抑制するインバータ回路の提供。【解決手段】電力入力回路１０よりインバータ回路２０に電力信号を出力し、該インバータ回路２０は制御ユニット２１より作業周波数を出力し且つ駆動ユニット２２ａでこの作業周波数を受け取り電力信号を分割して駆動信号を出力し、並びに第１変圧ユニット２３で該駆動信号を受け取り電力変換して第１負荷２５を駆動して差動させる、電力伝導干渉を抑制するインバータ回路において、該駆動ユニット２２ａと制御ユニット２１の間に隔離ユニット２４ａが配置され、該隔離ユニット２４ａ及び第１変圧ユニット２３の一次側と二次側が分ける駆動ユニット２２ａと制御ユニット２１の接地形態が非共接地ととされ、電力伝導干渉抑制の機能を達成することを特徴とする。【選択図】図４
0003108128.tif 000002
【実用新案登録請求の範囲】
【請求項１】
電力入力回路（１０）よりインバータ回路（２０）に電力信号を出力し、該インバータ回路（２０）は制御ユニット（２１）より作業周波数を出力し且つ駆動ユニット（２２ａ）でこの作業周波数を受け取り電力信号を分割して駆動信号を出力し、並びに第１変圧ユニット（２３）で該駆動信号を受け取り電力変換して第１負荷（２５）を駆動して差動させる、電力伝導干渉を抑制するインバータ回路において、
該駆動ユニット（２２ａ）と制御ユニット（２１）の間に隔離ユニット（２４ａ）が配置され、該隔離ユニット（２４ａ）及び第１変圧ユニット（２３）の一次側と二次側が分ける駆動ユニット（２２ａ）と制御ユニット（２１）の接地形態が非共接地とされ、電力伝導干渉抑制の機能を達成することを特徴とする、電力伝導干渉を抑制するインバータ回路。
【請求項２】
請求項１記載の電力伝導干渉を抑制するインバータ回路において、第１負荷（２５）が電圧及び電流信号を制御ユニット（２１）にフィードバックし、且つ第１負荷（２５）と制御ユニット（２１）の接地形態が共接地とされたことを特徴とする、電力伝導干渉を抑制するインバータ回路。
【請求項３】
請求項１記載の電力伝導干渉を抑制するインバータ回路において、入力回路（１０）が交流電源入力ユニット（１１）と交流電源を直流電源に変換する整流ユニット（１２）を具えたことを特徴とする、電力伝導干渉を抑制するインバータ回路。
【請求項４】
請求項３記載の電力伝導干渉を抑制するインバータ回路において、整流ユニット（１２）と駆動ユニット（２２ａ）の間にパワー因数調整ユニット（１３）が配置されたことを特徴とする、電力伝導干渉を抑制するインバータ回路。
【請求項５】
請求項１記載の電力伝導干渉を抑制するインバータ回路において、電力入力回路（１０）が別に駆動回路（１４）に並列に接続され、該駆動回路（１４）と電力入力回路（１０）の間にパワー因数調整ユニット（１３）が配置され、且つ該駆動回路（１４）が駆動信号を第２変圧ユニット（１５）に出力し、電力変換して第２負荷（１６）を駆動し、該第２変圧ユニット（１５）は電力信号ヲ出力して制御ユニット（２１）を駆動することを特徴とする、電力伝導干渉を抑制するインバータ回路。
【考案の詳細な説明】
【技術分野】
【０００１】
本考案は電力伝導干渉を抑制するインバータ回路に係り、特に、大小の電流及び高低の電圧電力を変換するインバータ回路に関する。
【背景技術】
【０００２】
図１は伝統的なディスプレイスクリーン或いは液晶テレビ等のビデオ製品の電源供給回路のブロック図である。ビデオ製品は商用電源の交流電源入力ユニットに接続され、交流電源入力ユニットは交流電力信号を入力し、この交流電力信号はダイオード群で組成された整流ユニットで電力変換され並びにパルス直流電力信号として出力され、更にパワー因数調整ユニットにより電圧安定化直流電力信号に校正され、この電圧安定化直流電力信号がインバータ及び第２駆動回路を通して第２変圧ユニットに並列に出力され、該第２変圧ユニットが電圧を下げて低電圧電力信号を出力し第２負荷を駆動し、インバータは昇圧して高電圧電力信号を出力して第１負荷を駆動するのに用いられ、この部分のいわゆる第２負荷はビデオ信号処理回路、スピーカ等の低圧駆動装置を包含し、第１負荷はディスプレイスクリーンの光度を提供する冷陰極ランプとされる。
【０００３】
伝統的なビデオ製品の回路ブロック図から分かるように、電力ソースはいずれも同一の整流ユニット、同一駆動回路に属し、これにより、第１負荷と第２負荷は共同接地状態とされ、第２負荷は低電圧電力で駆動され、且つ駆動過程中に安定化直流電力信号を維持する必要があり、もし電力信号が干渉を受けて波動を発生すると、第２負荷の作動性能に影響を与え、例えばディスプレイスクリーンに波紋、色彩反応のムラ及びスピーカの出力音声の不純、雑音等の現象が発生する。もう一つの電力干渉現象はインバータ回路におけるもので、インバータ回路中には作業周波数出力の制御ユニット、該駆動信号を受け取り電力信号を分割し並びに駆動信号を出力する駆動ユニット及び該駆動信号を受け取り電力変換して高電圧電力信号を出力して第１負荷を駆動する第１変圧ユニットが包含され、これは図２に示されるようであり、駆動ユニットが作業周波数で電力信号を分割する時、充放電形態の採用により電力信号波動が形成され、この波動信号が同様に制御ユニットに影響を与えて、作業周波数の不安定を形成し、第１負荷にちらつきの情況を発生させる。
【０００４】
干渉を発生する原因は、インバータの昇圧作動方式に振動波動方式が採用されることにあり、波動電気エネルギーが共同接地端より第２負荷及び制御ユニットに影響を与え、第２負荷及び制御ユニットにインバータの電力伝導干渉を受けさせることで上述の欠点が発生し、この現象は大サイズのビデオ製品において容易に発生し、ビデオ製品の正常な画像及び音声信号への影響が極めて大きい。
【考案の開示】
【考案が解決しようとする課題】
【０００５】
本考案の主要な目的は、上述の欠点を解決し、欠点の存在を回避することにあり、本考案は一種の隔離接地方式を提供し、第１変圧ユニットが既に有する一次側及び二次側の非共接地形態を運用し、更にインバータの駆動ユニットと制御ユニットの間に同様に一次側及び二次側を具えた隔離ユニットを配置し、駆動ユニットが電力信号を作業周波数分割することで形成される波動電気エネルギー干渉効果を完全に隔離し、これにより制御ユニットの作業周波数を安定化し第１負荷のちらつきを防止し、且つ第２負荷に電力干渉抑制効果を具備させて正常なビデオ表現を維持させる。
【課題を解決するための手段】
【０００６】
請求項１の考案は、電力入力回路（１０）よりインバータ回路（２０）に電力信号を出力し、該インバータ回路（２０）は制御ユニット（２１）より作業周波数を出力し且つ駆動ユニット（２２ａ）でこの作業周波数を受け取り電力信号を分割して駆動信号を出力し、並びに第１変圧ユニット（２３）で該駆動信号を受け取り電力変換して第１負荷（２５）を駆動して差動させる、電力伝導干渉を抑制するインバータ回路において、
該駆動ユニット（２２ａ）と制御ユニット（２１）の間に隔離ユニット（２４ａ）が配置され、該隔離ユニット（２４ａ）及び第１変圧ユニット（２３）の一次側と二次側が分ける駆動ユニット（２２ａ）と制御ユニット（２１）の接地形態が非共接地とされ、電力伝導干渉抑制の機能を達成することを特徴とする、電力伝導干渉を抑制するインバータ回路としている。
請求項２の考案は、請求項１記載の電力伝導干渉を抑制するインバータ回路において、第１負荷（２５）が電圧及び電流信号を制御ユニット（２１）にフィードバックし、且つ第１負荷（２５）と制御ユニット（２１）の接地形態が共接地とされたことを特徴とする、電力伝導干渉を抑制するインバータ回路としている。
請求項３の考案は、請求項１記載の電力伝導干渉を抑制するインバータ回路において、入力回路（１０）が交流電源入力ユニット（１１）と交流電源を直流電源に変換する整流ユニット（１２）を具えたことを特徴とする、電力伝導干渉を抑制するインバータ回路としている。
請求項４の考案は、請求項３記載の電力伝導干渉を抑制するインバータ回路において、整流ユニット（１２）と駆動ユニット（２２ａ）の間にパワー因数調整ユニット（１３）が配置されたことを特徴とする、電力伝導干渉を抑制するインバータ回路としている。
請求項５の考案は、請求項１記載の電力伝導干渉を抑制するインバータ回路において、電力入力回路（１０）が別に駆動回路（１４）に並列に接続され、該駆動回路（１４）と電力入力回路（１０）の間にパワー因数調整ユニット（１３）が配置され、且つ該駆動回路（１４）が駆動信号を第２変圧ユニット（１５）に出力し、電力変換して第２負荷（１６）を駆動し、該第２変圧ユニット（１５）は電力信号ヲ出力して制御ユニット（２１）を駆動することを特徴とする、電力伝導干渉を抑制するインバータ回路としている。
【考案の効果】
【０００７】
本考案は一種の隔離接地方式を提供し、第１変圧ユニットが既に有する一次側及び二次側の非共接地形態を運用し、更にインバータの駆動ユニットと制御ユニットの間に同様に一次側及び二次側を具えた隔離ユニットを配置し、駆動ユニットが電力信号を作業周波数分割することで形成される波動電気エネルギー干渉効果を完全に隔離し、これにより制御ユニットの作業周波数を安定化し第１負荷のちらつきを防止し、且つ第２負荷に電力干渉抑制効果を具備させて正常なビデオ表現を維持させる。
【考案を実施するための最良の形態】
【０００８】
図３、４に示されるように、本考案は電力入力回路（１０）より電力信号をインバータ回路（２０）に出力し、該電力入力回路（１０）が交流電源入力ユニット（１１）と交流電源を直流電源に変換する整流ユニット（１２）を具え、且つ該インバータ回路（２０）は制御ユニット（２１）により作業周波数を出力し、且つ駆動ユニット（２２ａ）で該作業周波数を受け取り電力信号を分割し並びに駆動信号を出力し、並びに第１変圧ユニット（２３）で該駆動信号を受け取って電力変換して第１負荷（２５）を駆動し作動させる。そのうち、該駆動ユニット（２２ａ）と制御ユニット（２１）の間に隔離ユニット（２４ａ）が配置され、該隔離ユニット（２４ａ）及び第１変圧ユニット（２３）の一次側及び二次側の隔離により駆動ユニット（２２ａ）と制御ユニット（２１）の接地形態が非共接地とされる。本考案の第１変圧ユニット（２３）は捲線式変圧器或いは圧電式変圧器とされ、圧電式変圧器とされるなら、第１変圧ユニット（２３）と駆動ユニット（２２ａ）の間にインダクタ（２３１）が配置される。以下に本考案を理解しやすいように、インバータ回路（２０）がいずれも圧電式変圧器とされた実施例について説明する。
【０００９】
図４は本考案の全体回路の第１実施例表示図である。該電力入力回路（１０）は別に駆動回路（１４）に並列に接続され、該駆動回路（１４）及びインバータ回路（２０）と整流ユニット（１２）との間にパワー因数調整ユニット（１３）が配置され、該パワー因数調整ユニット（１３）はパワー校正を行ない、この時出力される電力信号は電圧安定化直流信号（１２ＤＣＶ〜４８ＤＣＶ）とされ、且つ該駆動回路（１４）は駆動信号を第２変圧ユニット（１５）に出力して電力変換を行なわせ、第２負荷（１６）を駆動させる。該第２変圧ユニット（１５）は並びに電力信号を出力して制御ユニット（２１）を駆動する。現在の構造から言うと、二つの回路板がインバータ回路（２０）と駆動回路（１４）に配置され、図３も参照されたいが、本実施例では一次側及び二次側を具えたフォトカプラー、コンデンサ或いは変圧器の隔離ユニット（２４ａ）が駆動ユニット（２２ａ）と制御ユニット（２１）を隔離し、並びにすでに有る第１変圧ユニット（２３）の一次側及び二次側が組み合わされ、こうして駆動ユニット（２２ａ）の接地形態が完全に制御ユニット（２１）と第１負荷（２５）と非共接地とされ、且つ第２変圧ユニット（１５）も同様に一次側及び二次側を具え、これにより第２負荷（１６）と駆動ユニット（２２ａ）もまた非共接地とされ、これにより駆動ユニット（２２ａ）が電力信号を作業周波数分割した波動電気エネルギーは抑制され、接地端より制御ユニット（２１）及び第２負荷（１６）に伝わることがなく、制御ユニット（２１）の出力する作業周波数が安定し冷陰極ランプとされる第１負荷（２５）が発生する発光効果に影響を与えず、ビデオ信号処理回路とスピーカとされる第２負荷（１６）が制御ユニット（２１）、第１負荷（２５）の接地形態が共接地とされるために電力干渉がなく、安定した品質のビデオ信号出力を維持できる。
【００１０】
図５は本考案の全体回路の第２実施例表示図である。本実施例と図４の実施例との違いは、インバータ回路（２０）が直接整流ユニット（１２）の出力する電力信号を受け取り、該電力信号はパルス直流信号とされ、パルス直流信号が直接駆動ユニット（２２ａ）より第１変圧ユニット（２３）に入力され、入力は中電圧電力信号（１５０ＤＣＶ〜３００ＤＣＶ）とされ、低電圧電力変換のパワー損耗を防止でき、電力干渉抑制効果も前述の実施例と同様に達成する。
【００１１】
図６は本考案のインバータ回路（２０）の第２実施例表示図であり、図示されるように、本考案のインバータ回路（２０）は制御ユニット（２１）が同じ周波数を複数の駆動ユニット（２２ａ）、（２２ｂ）に出力し、この時、制御ユニット（２１）と各駆動ユニット（２２ａ）、（２２ｂ）の間にはいずれも隔離ユニット（２４ａ）、（２４ｂ）が設けられ、同様に上述の電力干渉抑制効果を達成する。
【００１２】
以上は本考案の好ましい実施例であり、本考案の実施範囲を限定するものではなく、本考案に基づきなしうる細部の修飾或いは改変は、いずれも本考案の請求範囲に属するものとする。
【図面の簡単な説明】
【００１３】
【図１】伝統的なディスプレイスクリーン或いは液晶テレビ等のビデオ製品の電源供給回路のブロック図である。
【図２】本考案の駆動ユニットが電力信号を作業周波数分割するタイミング図である。
【図３】本考案のインバータ回路の第１実施例表示図である。
【図４】本考案の全体回路の第１実施例表示図である。
【図５】本考案の全体回路の第２実施例表示図である。
【図６】本考案のインバータ回路の第２実施例表示図である。
【符号の説明】
【００１４】
（１０）電力入力回路
（１１）交流電源入力ユニット
（１２）整流ユニット
（１３）パワー因数調整ユニット
（１４）駆動回路
（１５）第２変圧ユニット
（１６）第２負荷
（２０）インバータ回路
（２１）制御ユニット
（２２ａ）、（２２ｂ）駆動ユニット
（２３）第１変圧ユニット
（２３１）インダクタ
（２４ａ）、（２４ｂ）隔離ユニット
（２５）第１負荷
【図１】
0003108128.tif 000003
【図２】
0003108128.tif 000004
【図３】
0003108128.tif 000005
【図４】
0003108128.tif 000006
【図５】
0003108128.tif 000007
【図６】
0003108128.tif 000008